Podtech/llm-jp-corpus-v4-ja_patent huggingface dataset:
【手続補正書】
【提出日】平成16年9月13日(2004.9.13)
【手続補正１】
【補正対象書類名】明細書
【補正対象項目名】発明の名称
【補正方法】変更
【補正の内容】
【発明の名称】紙幣の払い出し装置
【手続補正２】
【補正対象書類名】明細書
【補正対象項目名】特許請求の範囲
【補正方法】変更
【補正の内容】
【特許請求の範囲】
【請求項１】
少なくとも吸引手段に近い紙幣を無圧状態のフリーにするための手段と、前記フリー状態の紙幣を吸着するための開口をもつ前記吸引手段と、前記吸引手段に配設されている排気手段と、前記吸引手段の前記開口を横断して配設され、かつ、前記吸着された紙幣を吸着に抗して送り出すための送り出し手段と、を備えていることを特徴とした紙幣の払い出し装置。
【請求項２】
請求項１の記載において、前記送り出し手段が正方向にも逆方向にも走行可能であることを特徴とする紙幣の払い出し装置。
【請求項３】
請求項２の記載において、前記送り出し手段がエンドレスなベルトであることを特徴とする紙幣の払い出し装置。
【手続補正３】
【補正対象書類名】明細書
【補正対象項目名】０００１
【補正方法】変更
【補正の内容】
【０００１】
【発明の属する技術分野】
本発明は流通貨幣である紙幣の払い出し装置に関する。とくに本発明は紙の通貨である紙幣を計数して払い出すための払い出し装置に関する。本発明は具体的には切符販売機などを含む自動販売機や両替機など紙幣が使用される分野に好適な紙幣の払い出し装置に関する。    
なお本発明における「紙幣」の概念には通貨の紙幣は勿論のこと折り曲げ自在な紙あるいは合成樹脂などからなるシート体を含むことは勿論である。また本発明における「紙幣」の概念には撓み自在なテレフォンカードや定期券カードなど小形のカード体も含むことは勿論である。      
【手続補正４】
【補正対象書類名】明細書
【補正対象項目名】０００３
【補正方法】変更
【補正の内容】
【０００３】
流通している多くの紙幣は中央で折り曲げられているため送り出し手段が小形タイアであると接触が不十分になるという問題点があった。すなわち中央で折り曲げられた紙幣の場合には送り出し手段のタイアが空回りして紙幣の送り出しが確実に行われないという問題点があった。
本発明は紙幣を確実に然も一枚一枚スピーディに計数して払い出すことができる装置を目的に開発されたものである。また本発明は装置の小形化と構造の簡略化とを図りながら紙幣を確実に送り出すための紙幣の払い出し装置を目的に開発されたものである。
【手続補正５】
【補正対象書類名】明細書
【補正対象項目名】０００４
【補正方法】変更
【補正の内容】
【０００４】
本発明は、少なくとも吸引手段に近い紙幣を無圧状態のフリーにするための手段と、前記フリー状態の紙幣を吸着するための開口をもつ前記吸引手段と、前記吸引手段に配設されている排気手段と、前記吸引手段の前記開口を横断して配設され、かつ、前記吸着された紙幣を吸着に抗して送り出すための送り出し手段と、を備えていることを特徴とした紙幣の払い出し装置である。
【手続補正６】
【補正対象書類名】明細書
【補正対象項目名】０００６
【補正方法】変更
【補正の内容】
【０００６】
ここで先ず本発明による一実施例の紙幣の払い出し装置を図１Ａならびに図１Ｂに基づいて概略的に説明する。なお本装置は全体が箱形の手提げトランクに近い大きさになっている。図１Ａ上部左側の突起は計数された所定枚数の紙幣が払い出される出口室Ｅである。払い出される紙幣は本装置内部の半分近くを占める箱形のケースＣ内に収納されている（図３を参照）。なおケースＣは上方部が開口されていて本装置内に横方向から出し入れ可能である。またケースＣの内部には紙幣が縦長に起立され状態で多数並べられている（たとえば図４を参照）。
【手続補正書】
【提出日】平成16年8月27日(2004.8.27)
【手続補正１】
【補正対象書類名】明細書
【補正対象項目名】０００４
【補正方法】変更
【補正の内容】
【０００４】
また、コイン型電池などにおいても、別部品として端子を取り付けることは一般的に行われているが、特に薄いことを特徴として開発されてきている薄形電池においては、端子を設けるにあたっては、例えば、特開平６―３４９４７９号公報の様に別部品として電池形成後に取り付けるか、例えば、特公平３―１９６６８号公報の様に集電体が端子を兼ねる構造としたものがある。しかし、前者の方法では、端子を取り付けることにより電池総厚さが増加し、特に厚さを制限することを目的とする薄形電池においては体積効率を下げるなどの問題があるため、後者が一般的に採用されている。薄形電池の製造方法として後者を採用した場合、正極と負極を別々に打ち抜いて張り合わせる方法では、正負極を張り合わせる際の位置合わせが困難であり、生産性も悪いため、連続的ウェブ状の正極と負極を張り合わせ、その後に電池の形に打ち抜く方法が一般的である。
【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
基板上に形成された一対の素子電極間に、電子放出部を含む導電性膜を有する電子放出素子の製造方法において、
素子電極を形成する工程が、
（１）基板上に、光照射または光照射と加熱により光照射部分の親水基残量が減少する樹脂組成物層を形成する工程、
（２）該樹脂組成物層の素子電極を形成する部分以外に光照射または光照射と加熱を施す工程、
（３）該樹脂組成物層の光未照射部に金属元素を含有する溶液を付与する工程、
（４）該樹脂組成物層を熱処理により分解させる工程、
を含むことを特徴とする電子放出素子の製造方法。
【請求項２】
電子放出素子が、表面伝導型電子放出素子であることを特徴とする請求項１に記載の電子放出素子の製造方法。
【請求項３】
複数個の電子放出素子を備え、入力信号に応じて電子を放出する電子源の製造方法であって、前記複数個の電子放出素子を請求項１又は２に記載の方法により製造することを特徴とする電子源の製造方法。
【請求項４】
複数個の電子放出素子を備え、入力信号に応じて電子を放出する電子源と、前記電子源から放出される電子の照射により画像を形成する画像形成部材とを有する画像形成装置の製造方法であって、前記複数個の電子放出素子を請求項１又は２に記載の方法により製造することを特徴とする画像形成装置の製造方法。
【手続補正書】
【提出日】平成17年8月22日(2005.8.22)
【手続補正１】
【補正対象書類名】明細書
【補正対象項目名】００１８
【補正方法】変更
【補正の内容】
【００１８】
このようにすれば、同一被検者における過去の測定結果との比較や、異なる被検者間の測定結果との比較などを正確かつ容易に行える。
【手続補正２】
【補正対象書類名】明細書
【補正対象項目名】００２０
【補正方法】変更
【補正の内容】
【００２０】
このようにすれば、グループ単位での比較や、グループにおける被検者間の比較などを正確かつ容易に行える。たとえば、自分を含む複数の選手の中心値を、一つのグラフとして一度に表示させることにより、そのグラフに基づいて、自分がこの選手群の中でどの辺に位置するのかの判断や、自分はＡ選手よりも下だがＢ選手よりは上だ、などの確認ができる。
【手続補正３】
【補正対象書類名】明細書
【補正対象項目名】００３４
【補正方法】変更
【補正の内容】
【００３４】
インストールの終了後、持久力評価支援プログラムを起動させると、表示装置８の表示画面上に図２に示すようなデータ入力画面が表示され、操作者による操作装置９の操作に応じて、個人情報の登録、プロトコルすなわち測定計画の作成、およびデータ解析などを行うことができる。
【手続補正４】
【補正対象書類名】明細書
【補正対象項目名】００３９
【補正方法】変更
【補正の内容】
【００３９】
次に、プロトコルの作成について説明する。プロトコルの作成は、自動作成モード、テンプレート利用モード、および手動設定モードのうちのいずれかを任意に選択して作成できる。
【手続補正５】
【補正対象書類名】明細書
【補正対象項目名】００４２
【補正方法】変更
【補正の内容】
【００４２】
一方、選手の競技種目が球技である場合、操作者が操作装置９を用いて、１２分間走、３ｋｍ走、あるいは１．５ｋｍ走のうちから１つをチェックすることにより選択する。これは、球技の場合には専門種目の競技距離というものが存在しないため、血中乳酸値の測定のために行う運動を決定する必要があるからである。１２分間走を選択した場合、操作者が操作装置９を用いて、最長距離記入欄４２に選手の１２分間走の最近の自己最長距離を記入する。３ｋｍ走を選択した場合、操作者が操作装置９を用いて、ベストタイム記入欄４３に選手の３ｋｍ走の最近の自己ベストタイムを記入する。１．５ｋｍ走を選択した場合、操作者が操作装置９を用いて、ベストタイム記入欄４４に選手の１．５ｋｍ走の最近の自己ベストタイムを記入する。測定回数記入欄３９および適応欄４１は、トラック競技あるいは競泳の場合と同様である。
【手続補正６】
【補正対象書類名】明細書
【補正対象項目名】００４４
【補正方法】変更
【補正の内容】
【００４４】
テンプレートを利用するモードの場合、操作者が操作装置９を用いて、図２に示す画面から図１０に示すようなテンプレート選択画面を呼び出し、テンプレート名選択欄５０から所望のテンプレートを選択する。テンプレート名選択欄５０には、頻繁に使用するプロトコルがテンプレートとして登録されているテンプレートの名称が表示されるので、そのうちのいずれか１つを選択すればよい。これにより、選択されたテンプレート名に対応する定型プロトコルが、図１１に示すようにデータ表示・記入欄４７に表示されるので、必要に応じて操作者が編集してプロトコルを決定する。
【手続補正７】
【補正対象書類名】明細書
【補正対象項目名】００４５
【補正方法】変更
【補正の内容】
【００４５】
手動設定モードの場合、図１２に示すように、操作者が操作装置９を用いて、データ表示・記入欄４７に設定距離と各回の目標タイムとを記入する。これにより、各回のラップタイムがＣＰＵ１により演算され、データ表示・記入欄４７に表示される。手動設定モードにおける別のプロトコル作成方法として、測定日記入欄４８に表示される過去の測定日を選択することにより、その日の測定に用いたプロトコルを呼び出して、それを必要に応じて編集することもできる。
【手続補正８】
【補正対象書類名】明細書
【補正対象項目名】００５０
【補正方法】変更
【補正の内容】
【００５０】
測定結果の入力が完了すると、データ解析のための各種設定操作を行うことにより、解析結果のグラフや数表が表示される。すなわち、操作者が操作装置９を用いて、図１６に示すような設定画面を表示装置８の表示画面上に表示させ、グラフ形式選択欄５１をチェックして、単一グラフ、比較グラフ、時系列グラフ、および団体グラフのうちのいずれかを選択する。さらに、操作者が操作装置９を用いて、乳酸値解析方法選択欄５２を操作して血中乳酸値の解析方法を選択し、心拍数解析方法選択欄５３を操作して心拍数の解析方法を選択し、複数の検出ポイント欄５４ａ，５４ｂに必要に応じて検出ポイントを記入する。乳酸値解析方法選択欄５２あるいは心拍数解析方法選択欄５３の解析方法としては、たとえば２次曲線、単屈曲、二重屈曲、折れ線などを選択することができ、それに応じたグラフが生成される。
【手続補正９】
【補正対象書類名】図面
【補正対象項目名】図１０
【補正方法】変更
【補正の内容】
【図１０】
2000090179.tif 000001
【手続補正１０】
【補正対象書類名】図面
【補正対象項目名】図１６
【補正方法】変更
【補正の内容】
【図１６】
2000090179.tif 000002
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  コンピュータ制御システムにおいて使用されるように作られたオブジェクト指向曲げモデルビューアにして、前記コンピュータ制御システムは、前記部品に関連する曲げモデルデータを格納するためのデータベースと、前記部品の画像を表示するための表示装置とを備え、
前記オブジェクト指向曲げモデルビューアは、曲げモデルビューア観察クラスを備え；
曲げモデルビューア観察クラスは、観察モデル属性と、前記曲げモデルビューア観察クラスのメンバー機能として実行される少なくとも一つの観察機能を有し；
前記部品の少なくとも一つの画像は、前記曲げモデルデータおよび前記観察モデル属性に基づいて前記コンピュータ制御システムの前記表示装置に表示される。
【請求項２】  請求項１のオブジェクト指向曲げモデルビューアにして、
前記観察モデル属性は、所定の観察モードに関連する表示情報を備え、前記所定の観察モードは、実線観察モード・ワイヤフレーム観察モード・２次元平面観察モード・正斜影観察モードの少なくとも一つを含む。
【請求項３】  請求項１のオブジェクト指向曲げモデルビューアにして、前記曲げモデルビューア観察クラスは、前記少なくとも一つの観察機能に応じて前記部品の前記画像を変形する情報を更に備える。
【請求項４】  請求項３オブジェクト指向曲げモデルビューアにして、前記少なくとも一つの観察機能は、ズーム機能、回転機能、パンニング機能、又は寸法機能の内の少なくとも一つを有する。
【請求項５】  請求項４によるオブジェクト指向曲げモデルビューアにして前記寸法機能は前記部品の画像を変形し前記部品の少なくとも１つの特徴に関連する寸法情報を追加的に表示する動作を含み、前記寸法情報は、前記部品の少なくとも１つの曲げ線の長さと前記各曲げ線の曲げ角度とを含む。
【請求項６】  請求項１のオブジェクト指向曲げモデルビューアにして、前記曲げモデルビューア観察クラスは、前記曲げモデルビューア観察クラスのメンバー機能として提供される複数の観察機能を備え、前記曲げモデルビューア観察クラスは更に、前記観察機能の各々に応じて前記部品の前記画像を変形するための情報を備える。
【請求項７】  請求項１のオブジェクト指向曲げモデルビューアにして、更に前記部品の前記画像の現在表示されている画面に基づいて、前記表示装置上で観察可能な前記部品の特徴に関連する観察可能情報を提供し維持するための観察可能機能を有するもの。
【請求項８】  請求項７によるオブジェクト指向曲げモデルビューアにして、前記曲げモデルビューア画像クラスは、前記少なくとも１つの撮影機能に応じて前記部品の画像を変更するための情報を含み、前記少なくとも１つの撮影機能は、寸法機能を含み、この寸法機能は前記可視性情報に基づき前記部品の画像を変形し前記部品の観察可能の特徴に関連する寸法情報を表示する操作を含む。
【請求項９】  コンピュータ制御システムにおいて使用されるように作られたオブジェクト指向曲げモデルビューアを格納したコンピュータ読取可能媒体にして、
前記コンピュータ制御システムは、前記部品に関連する曲げモデルデータを格納するためのデータベースと、前記部品の画像を表示するための表示装置とを備え、
前記オブジェクト指向曲げモデルビューアは、曲げモデルビューア観察クラスを備え；
曲げモデルビューア観察クラスは、観察モデル属性と、前記曲げモデルビューア観察クラスのメンバー機能として実行される少なくとも一つの観察機能を有し；
前記部品の少なくとも一つの画像は、前記曲げモデルデータおよび前記観察モデル属性に基づいて前記コンピュータ制御システムの前記表示装置に表示されるもの。
【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
データ処理方法であって、
（ａ）各式が、時間的に範囲を定められた多数の演算数を含む複数の式を供給するステップ、及び
（ｂ）時間的に範囲を定められた演算結果を生成するために、前記式を評価するステップからなり、
（ｃ）該時間的に範囲を定められた各演算数と各演算結果が、一つまたはそれ以上の数値例のシーケンスからなる場合に、各数値例が、データ項目、スタート時間および終了時間を含み、前記スタート時間および終了時間が、データ項目が有効な時間の長さを定義する方法。
【請求項２】
請求項１に記載の方法において、二項演算子を含む式が、前記二項演算子の各演算数を走査し、各演算数が一定の数値をもつ各期間に対して、該演算結果において数値例を生成することにより評価される方法。
【請求項３】
前記請求項１又は２の何れかに記載の方法において、前記式を評価する前記ステップが、前記評価の該演算結果を表わすルート・ノード、前記演算数を表わすリーフ・ノード、及び演算子を表わす中間ノードを含む各式のデータ・フローチャートへの変換を含む方法。
【請求項４】
請求項１乃至３の何れか１つに記載の方法を実行するためのデータ処理装置。
【請求項５】
請求項１乃至３の何れか１つに記載の方法を実行するための
、コンピュータ・プログラムを内蔵するデータ・キャリヤ。
【手続補正２】
【補正対象書類名】明細書
【補正対象項目名】０００５
【補正方法】変更
【補正の内容】
【０００５】
【課題を解決するための手段】
本発明のデータ処理方法は、
（ａ）各式が時間的に範囲を定められた（ｔｅｍｐｏｒａｌｌｙ  ｓｃｏｐｅｄ）多数の演算数を含む複数の式を供給するステップ、及び
（ｂ）時間的に範囲を定められた演算結果を生成するために、上記式を評価するステップからなり、
（ｃ）時間的に範囲を定められた各演算数と各演算結果が、一つまたはそれ以上の数値例のシーケンスを含んでいる場合に、各数値例が、データ項目、スタート時間および終了時間を含み、上記スタート時間および終了時間が、データ項目が有効な時間の長さを定義する。
【手続補正３】
【補正対象書類名】明細書
【補正対象項目名】０００８
【補正方法】変更
【補正の内容】
【０００８】
図１について説明すると、この図は、式評価機構１１、データベース１２およびユーザ・インターフェース１３を含むコンピュータ・システム１０である。上記機構１１としては、特殊目的のハードウェアを使用することができるが、この実施形態の場合には、上記機構は、式を評価するために、特殊目的のソフトウェアを実行する従来のコンピュータ処理ハードウェアを備える。上記式評価機構１１は、式中の文字からか、データベースからか、またはユーザ・インターフェースから、一つまたはそれ以上の演算数の数値を受け取り、一つまたはそれ以上の演算結果としての数値を生成する。上記の演算結果としての数値は、その後、データベースに記憶することもできるし、および／またはユーザ・インターフェースにより
、ユーザに表示することもできる。
【手続補正４】
【補正対象書類名】明細書
【補正対象項目名】０００９
【補正方法】変更
【補正の内容】
【０００９】
以下に説明するように、演算数の各数値は、時間的に範囲を定められる。すなわち、演算数の上記各数値は、それが表わす物事の数値の履歴を含む。式評価機構は、演算数の時間による変化を考慮に入れ、同様に、時間的に範囲を定められた演算結果としての数値を生成する。
【手続補正５】
【補正対象書類名】明細書
【補正対象項目名】００１１
【補正方法】変更
【補正の内容】
【００１１】
各演算数および演算結果としての数値は、一つまたはそれ以上の数値例のシーケンスにより表わされる。各数値例は、下記の一つの集合からなる。
【手続補正６】
【補正対象書類名】明細書
【補正対象項目名】００２８
【補正方法】変更
【補正の内容】
【００２８】
数値は、演算子により式の形になる。演算子のいくつかの例について説明する。これらすべての演算子は、演算数として時間的に範囲を定められた数値をとり、結果として時間的に範囲を定められた数値を生成する。
【手続補正７】
【補正対象書類名】明細書
【補正対象項目名】００６０
【補正方法】変更
【補正の内容】
【００６０】
図２について説明すると、評価機構は、式２２を取り上げ、それをデータのフローチャート２３に変換する変換プログラム２１を含む。データ・フローチャートのルート・ノードは、評価した式を表わす。葉ノード（リーフ・ノード）は、その式に対する演算数の数値を、文字定数、または演算数の数値を取得するためのプロセスとして表わす。
【手続補正８】
【補正対象書類名】明細書
【補正対象項目名】０１０３
【補正方法】変更
【補正の内容】
【０１０３】
＜可能ないくつかの修正＞
本発明の範囲から逸脱することなしに、上記システムに多くの修正を行うことができることを理解することができるだろう。例えば、式は時間的に範囲を定められたデータであってもよい。
【手続補正書】
【提出日】平成17年9月2日(2005.9.2)
【手続補正１】
【補正対象書類名】明細書
【補正対象項目名】００２１
【補正方法】変更
【補正の内容】
【００２１】
ミラー信号検出部３０はフォトディテクタ５で検出される反射光量に応じた電気信号（Ａ＋Ｂ＋Ｃ＋Ｄ）、すなわちＲＦ信号（和信号、プルイン信号ともいう。）からピークホールド信号とボトムホールド信号を生成するとともに、これらのピークホールド信号とボトムホールド信号を減算することによってミラー信号を検出することができるようにされている。本例ではシステムコントローラ１０によりピークホールド信号及びボトムホールド信号のゲインを設定することによって、例えばディスクドライブ装置に対する外乱やディスク９０の記録面におけるごみなどに起因するＲＦ信号のＤＣ変調をキャンセルして、所望するミラー信号を得ることができるようにされている。
【手続補正２】
【補正対象書類名】図面
【補正対象項目名】図３
【補正方法】変更
【補正の内容】
【図３】
2000090443.tif 000001
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
基板と、前記基板の上に設けられた干渉層と、前記干渉層の上に設けられた記録層と、を備え、
前記記録層の結晶部の反射率が前記記録層の非晶質部の反射率よりも低く調整されており、
前記干渉層は、第１の層と、前記第１の層の下に設けられ前記第１の層とは異なる誘電率を有する第２の層と、前記第２の層の下に設けられ前記第２の層とは異なる誘電率を有する第３の層と、を有し、
前記記録層は複数のトラックを有するデータ部と、アドレス部とを有し、記録及び消去動作が実行された後は、前記データ部は結晶バンドと、この結晶バンド内の非晶質マーク列とを有し、各非晶質マーク列の幅は各結晶バンドの幅と等しいか狭いことを特徴とする相変化光記録媒体。
【請求項２】
前記第１乃至第３の層に隣接する層は、お互いに屈折率ｎおよび消衰係数ｋの少なくとも一方が異なっていることを特徴とする請求項１記載の相変化光記録媒体。
【請求項３】
基板と、前記基板の上に設けられた干渉層と、前記干渉層の上に設けられた記録層と、を備え、
前記干渉層は、第１の層と、前記第１の層の下に設けられた第２の層と、前記第２の層の下に設けられた第３の層と、前記第１乃至第３の層の少なくともいずれかに隣接して設けられた金属層と、を有し、
前記第１乃至第３の層及び金属層のそれぞれは、隣接する他の層とは異なる誘電率を有することを特徴とする相変化光記録媒体。
【請求項４】
前記記録層は、結晶部の反射率が非晶質部の反射率よりも低いことを特徴とする請求項３記載の相変化光記録媒体。
【請求項５】
前記金属層は、金（Ａｕ）からなることを特徴とする請求項３記載の相変化光記録媒体。
【請求項６】
前記記録層は、複数のトラックを有するデータ部と、アドレス部とを備えていることを特徴とする請求項４記載の相変化光記録媒体。
【請求項７】
記録動作および消去動作が行われた後、データ部は、結晶バンドと、結晶バンド内の非晶質マーク列とを有し、各結晶バンドの幅は各トラックの幅よりも狭く、各非晶質マーク列の幅は各結晶バンドの幅と等しいか狭いことを特徴とする請求項６記載の相変化光記録媒体。
【請求項８】
前記記録層のアドレス部は非晶質状態であることを特徴とする請求項１乃至７のいずれかに記載の相変化光記録媒体。
【請求項９】
前記第２の層の屈折率が前記第１の層の屈折率よりも小さいことを特徴とする請求項１乃至７のいずれかに記載の相変化光記録媒体。
【請求項１０】
前記第２の層は、ＳｉＯ２からなることを特徴とする請求項１乃至７のいずれかに記載の相変化光記録媒体。
【請求項１１】
前記第１および第３の層は、ＺｎＳ−ＳｉＯ２からなることを特徴とする請求項１乃至７のいずれか記載の相変化光記録媒体。
【請求項１２】
前記記録層は、ＧｅＳｂＴｅからなっていることを特徴とする請求項１乃至７のいずれかに記載の相変化光記録媒体。
【手続補正書】
【提出日】平成17年8月1日(2005.8.1)
【手続補正１】
【補正対象書類名】明細書
【補正対象項目名】発明の名称
【補正方法】変更
【補正の内容】
【発明の名称】記憶装置および記憶方法
【手続補正２】
【補正対象書類名】明細書
【補正対象項目名】特許請求の範囲
【補正方法】変更
【補正の内容】
【特許請求の範囲】
【請求項１】
データを記憶する記憶装置であって、
第１および第２のアドレスによって指定される記憶単位を有する記憶手段と、
前記第１のアドレスをデコードし、前記記憶手段に供給する第１のデコード手段と、
複数の前記第２のアドレスそれぞれをデコードし、前記記憶手段に供給する複数の第２のデコード手段と
を備え、
前記複数の第２のデコード手段のうちの１つと、他の１つとにおけるデコード結果が異なるようにされている
ことを特徴とする記憶装置。
【請求項２】
前記複数の第２のデコード手段のうちの１つにおける前記第２のアドレスのデコード結果によって特定される前記記憶単位にデータを書き込み、
前記複数の第２のデコード手段のうちの他の１つにおける前記第２のアドレスのデコード結果によって特定される前記記憶単位からデータを読み出す
ことを特徴とする請求項１に記載の記憶装置。
【請求項３】
前記記憶単位は、第１または第２のアドレスによってそれぞれ特定される行または列に配置されており、
所定の行に配置された前記記憶単位は、前記第１のアドレスのデコード結果によって指定され、
所定の列に配置された前記記憶単位は、前記第２のアドレスのデコード結果によって指定される
ことを特徴とする請求項１に記載の記憶装置。
【請求項４】
前記データは、画像データである
ことを特徴とする請求項１に記載の記憶装置。
【請求項５】
第１および第２のアドレスによって指定される記憶単位を有する記憶手段を備え、データを記憶する記憶装置の記憶方法であって、
前記第１のアドレスをデコードし、前記記憶手段に供給し、
複数の前記第２のアドレスそれぞれをデコードし、前記記憶手段に供給し、
前記複数の第２のアドレスのうちの１つと、他の１つとにおけるデコード結果が異なるようにされている
ことを特徴とする記憶方法。
【手続補正３】
【補正対象書類名】明細書
【補正対象項目名】０００１
【補正方法】変更
【補正の内容】
【０００１】
【発明の属する技術分野】
本発明は、記憶装置および記憶方法に関し、特に、例えば、画像のシャッフリング（またはスクランブル）を、高速に行うことができるようにする記憶装置および記憶方法に関する。
【手続補正４】
【補正対象書類名】明細書
【補正対象項目名】００２２
【補正方法】変更
【補正の内容】
【００２２】
【課題を解決するための手段】
本発明の記憶装置は、第１および第２のアドレスによって指定される記憶単位を有する記憶手段と、第１のアドレスをデコードし、記憶手段に供給する第１のデコード手段と、複数の第２のアドレスそれぞれをデコードし、記憶手段に供給する複数の第２のデコード手段とを備え、複数の第２のデコード手段のうちの１つと、他の１つとにおけるデコード結果が異なるようにされていることを特徴とする。
本発明の記憶方法は、第１のアドレスをデコードし、記憶手段に供給し、複数の第２のアドレスそれぞれをデコードし、記憶手段に供給し、複数の第２のアドレスのうちの１つと、他の１つとにおけるデコード結果が異なるようにされていることを特徴とする。
【手続補正５】
【補正対象書類名】明細書
【補正対象項目名】００２３
【補正方法】変更
【補正の内容】
【００２３】
本発明においては、第１のアドレスをデコードし、記憶手段に供給するとともに、複数の第２のアドレスそれぞれをデコードし、記憶手段に供給する。そして、複数の第２のアドレスのうちの１つと、他の１つとにおけるデコード結果が異なるようにされている。
【手続補正６】
【補正対象書類名】明細書
【補正対象項目名】０１８６
【補正方法】変更
【補正の内容】
【０１８６】
【発明の効果】
以上の如く、本発明によれば、記憶手段が有する記憶単位を指定するための第１または第２のアドレスのうちの複数の第２のアドレスのうちの１つと、他の１つとにおけるデコード結果が異なるようにされているので、例えば、データのシャッフリングを、高速に行うことが可能となる。
【手続補正書】
【提出日】平成17年8月2日(2005.8.2)
【手続補正１】
【補正対象書類名】明細書
【補正対象項目名】請求項２
【補正方法】変更
【補正の内容】
【請求項２】
待機状態においては、上記ビット線、上記反転ビット線、上記内部データ線及び上記反転内部データ線は上記第１の電圧供給回路、上記第２の電圧供給回路及び上記イコライズ回路により上記所定電圧に保持されており、上記弁別回路の弁別動作開始前に上記第１のスイッチ回路及び上記第２のスイッチ回路の双方が非導通状態となり、その後上記第１のスイッチ回路又は上記第２のスイッチ回路の一方が導通状態となる請求項１に記載の半導体メモリ回路。
【手続補正２】
【補正対象書類名】明細書
【補正対象項目名】０００８
【補正方法】変更
【補正の内容】
【０００８】
プリチャージ兼イコライズ回路１２４は、内部データ線ＳＡＢＬと信号線ＢＬＲとの間に接続されたＮＭＯＳトランジスタ１３６ａと、同様に、反転内部データ線ＳＡＢＬ＿と信号線ＢＬＲとの間に接続されたＮＭＯＳトランジスタ１３６ｂとを有している。信号線ＢＬＲには、電源電圧／２が印加されており、各ＮＭＯＳトランジスタ１３６ａ、１３６ｂが導通すると、内部データ線ＳＡＢＬと反転内部データ線ＳＡＢＬ＿に、電源電圧／２が印加されるように構成されている(プリチャージ動作)。
【手続補正３】
【補正対象書類名】明細書
【補正対象項目名】００１７
【補正方法】変更
【補正の内容】
【００１７】
この状態から、プリチャージ兼イコライズ回路１２４及び接続回路１２２Ｌがオフすると、プリチャージは終了し、ビット線ＬＢＬ及び反転ビット線ＬＢＬ＿は内部データ線ＳＡＢＬ及び反転内部データ線ＳＡＢＬ＿からそれぞれ切り離される。
【手続補正４】
【補正対象書類名】明細書
【補正対象項目名】００２５
【補正方法】変更
【補正の内容】
【００２５】
請求項２に記載の半導体メモリ回路では、待機状態においては、上記ビット線、上記反転ビット線、上記内部データ線及び上記反転内部データ線は上記第１の電圧供給回路、上記第２の電圧供給回路及び上記イコライズ回路により上記所定電圧に保持されており、上記弁別回路の弁別動作開始前に上記第１のスイッチ回路及び上記第２のスイッチ回路の双方が非導通状態となり、その後上記第１のスイッチ回路又は上記第２のスイッチ回路の一方が導通状態となる。
【手続補正５】
【補正対象書類名】明細書
【補正対象項目名】００４３
【補正方法】変更
【補正の内容】
【００４３】
制御端子が内部データ線ＳＡＢＬに接続されたＰＭＯＳトランジスタ２８ａ、ＮＭＯＳトランジスタ３０ａは、その一方の入出力端子が反転内部データ線ＳＡＢＬ＿に接続され、他方の入出力端子がセンス線ＰＣ、ＮＣにそれぞれ接続されている。
【手続補正書】
【提出日】平成16年4月28日(2004.4.28)
【手続補正１】
【補正対象書類名】明細書
【補正対象項目名】符号の説明
【補正方法】変更
【補正の内容】
【符号の説明】
１０  デジタルフォトプリンタ
１２  スキャナ
１４  （画像）処理装置
１６  画像記録装置
１８  操作系
１８ａ  キーボード
１８ｂ  マウス
２０  モニタ
２２  光源
２４  可変絞り
２６  拡散ボックス
２８  キャリア
３０  結像レンズユニット
３２  イメージセンサ
３４  Ａ／Ｄ変換器
３６  スキャナ補正部
３８  ＬＯＧ変換器
４０  プレスキャン（フレーム）メモリ
４２  ファインスキャン（フレーム）メモリ
４４  プレスキャンデータ処理部
４６  ファインスキャンデータ処理部
４８  条件設定部
５０、５４  画像処理部 
５２、５６  画像データ変換部
５８  セットアップ部
６０  キー補正部
６２  パラメータ統合部
６４  色濃度階調変換手段
６６  彩度変換手段
６８  電子変倍処理手段
７０  画像処理手段
【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
第１の画像データを第２の画像データに変換する画像データ変換装置において、
上記第１の画像データから抽出された注目画素を含む複数の画素における各画素値の変化量の絶対値と符号とから上記注目画素に対するクラスを決定するクラス決定手段と、
上記クラスに応じて予測データを発生する予測データ発生手段と、
上記予測データから上記第２の画像データの上記注目画素を発生する画素データ発生手段と
を具えることを特徴とする画像データ変換装置。
【請求項２】
上記クラス決定手段は、
上記第１の画像データから上記注目画素を含む複数の画素を抽出し、その抽出された各画素値の変化量を求め、当該各変化量の絶対値と符号とから上記注目画素に対するクラスを決定する
ことを特徴とする請求項１に記載の画像データ変換装置。
【請求項３】
上記クラス決定手段は、
上記第１の画像データの各画素値の変化量をそれぞれ求めた上で上記注目画素を含む複数の画素を抽出し、その抽出された各画素値の変化量の絶対値と符号とから上記注目画素に対するクラスを決定する
ことを特徴とする請求項１に記載の画像データ変換装置。
【請求項４】
上記クラス決定手段は、
上記第１の画像データから水平又は垂直方向に抽出された上記注目画素を含む複数の画素における各画素値の変化量の絶対値と符号とから上記注目画素に対するクラスを決定する
ことを特徴とする請求項１に記載の画像データ変換装置。
【請求項５】
上記クラス決定手段は、
上記第１の画像データから間引いて抽出された上記注目画素を含む複数の画素における各画素値の変化量の絶対値と符号とから上記注目画素に対するクラスを決定する
ことを特徴とする請求項１に記載の画像データ変換装置。
【請求項６】
上記予測データは、
上記第１の画像データから抽出された上記複数の画素に対応して存在する予測係数でなり、
上記画素データ発生手段は、
上記クラスに応じて発生された上記各予測係数と上記第１の画像データから抽出された上記複数の画素とから上記第２の画像データの上記注目画素を発生する
ことを特徴とする請求項１に記載の画像データ変換装置。
【請求項７】
上記予測データは、
上記第２の画像データに対応する学習データを用いて予め学習によって生成されている
ことを特徴とする請求項１に記載の画像データ変換装置。
【請求項８】
第１の画像データを第２の画像データに変換する画像データ変換方法において、
上記第１の画像データから抽出された注目画素を含む複数の画素における各画素値の変化量の絶対値と符号とから上記注目画素に対するクラスを決定し、
上記クラスに応じて予測データを発生し、
上記予測データから上記第２の画像データの上記注目画素を発生する
ことを特徴とする画像データ変換方法。
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
ハウジングと、
ハウジング内の第１のマガジンポートと摺動可能にインターフェイスで接続するように構成される第１のテープカートリッジ転送マガジンとを含み、
その第１のテープカートリッジ転送マガジンが、
第１の複数個の保管場所に複数個のテープカートリッジを受入れるための手段と、
第１の複数個の保管場所間で第１のテープカートリッジ転送マガジン内の複数個のテープカートリッジを転送するための手段と、
ハウジング内にあり、複数個のテープカートリッジの個々の１つを受入れ複数個のテープカートリッジの個々の１つにデータを読出したり書込んだりするように構成される少なくとも１つの読出／書込テープドライブと、そして
第１のテープカートリッジ転送マガジンとテープカートリッジを交換するために第１のテープカートリッジ転送マガジンとインターフェイスで接続し、かつ、少なくとも１つのテープドライブとテープカートリッジを交換するために少なくとも１つのテープドライブとインターフェイスで接続するように構成されるテープカートリッジピッカとを含み、
そのテープカートリッジピッカは、
回転の中心軸のまわりを回転することにより、ハウジング内でテープカートリッジピッカを移動させることなくテープドライブと第１のテープカートリッジ転送マガジンとの間でテープカートリッジを交換する、回転のための手段を含む、自動テープカートリッジオートローダ／ライブラリシステム。
【請求項２】
ハウジング内の第２のマガジンポートと摺動可能にインターフェイスで接続するように構成される第２のテープカートリッジ転送マガジンをさらに含み、第２のテープカートリッジ転送マガジンは、
第２の複数個の保管場所に複数個のテープカートリッジを受入れるための手段と、
第２の複数個の保管場所間で第２のテープカートリッジ転送マガジン内の複数個のテープカートリッジを転送するための手段とを含む、請求項１に記載のシステム。
【請求項３】
テープカートリッジピッカおよびオペレータと複数個のテープカートリッジの個々の１つを交換するように構成される単一テープカートリッジインターフェイスをさらに含む、請求項２に記載のシステム。
【請求項４】
複数個のテープカートリッジが第１のテープカートリッジ転送マガジン内で転送される際、複数個のテープカートリッジ上のコンピュータ読出可能指標を読出
すように構成される少なくとも１つのバーコードリーダをさらに含む、請求項１に記載のシステム。
【請求項５】
複数個のテープカートリッジが第１のテープカートリッジ転送マガジンおよび第２のテープカートリッジ転送マガジン内で転送される際、複数個のテープカートリッジ上のコンピュータ読出可能指標を読出すように構成される、少なくとも１つのバーコードリーダをさらに含む、請求項２に記載のシステム。
【請求項６】
回転のための手段は、回転の中心軸のまわりを回転することにより、第１のテープカートリッジ転送マガジン、第２のテープカートリッジ転送マガジン、少なくとも１つのテープドライブ、および単一カートリッジインターフェイスの間でテープカートリッジを交換する、請求項３に記載のシステム。
【請求項７】
第１のテープカートリッジ転送マガジンは、ハウジング内の第２のマガジンポートと摺動可能にインターフェイスで接続するように構成され、第２のテープカートリッジ転送マガジンは、ハウジング内の第１のマガジンポートと摺動可能にインターフェイスで接続するように構成される、請求項２に記載のシステム。
【請求項８】
テープカートリッジライブラリの動作を制御するユーザコマンドをオペレータから受取るように構成されるユーザインターフェイスと、
オペレータのためにステータス情報を表示するように構成されるディスプレイとを含む、制御パネルをさらに含む、請求項３に記載のシステム。
【請求項９】
自動テープカートリッジオートローダ／ライブラリシステムを動作させる方法であって、
複数個のテープカートリッジが装填された第１のテープカートリッジ転送マガジンをハウジング内の第１のマガジンポートに挿入するステップを含み、ハウジングは
テープドライブと、
カートリッジピッカとを含み、前記方法はさらに
カートリッジピッカを回転させて、テープドライブおよび第１のテープカートリッジ転送マガジンの間でテープカートリッジを交換するステップを含み、ここでカートリッジピッカは第１のテープカートリッジ転送マガジンからテープカートリッジを受入れて回転することによってテープドライブに装填されるテープカートリッジを位置決めするか、またはカートリッジピッカはテープドライブからテープカートリッジを受入れて回転することによって第１のテープカートリッジ転送マガジンに装填されるテープカートリッジを位置決めする、方法。
【請求項１０】
複数個のテープカートリッジが装填された第２のテープカートリッジ転送マガジンをハウジング内の第２のマガジンポートに挿入するステップと、
カートリッジピッカを回転させて、テープドライブ、第１のテープカートリッジ転送マガジン、および第２のテープカートリッジ転送マガジンの間でテープカートリッジを交換するステップとをさらに含む、請求項９に記載の方法。
【請求項１１】
ハウジングは単一カートリッジインターフェイスを含み、前記方法はさらに
カートリッジピッカを回転させて、テープドライブ、第１のテープカートリッジ転送マガジン、第２のテープカートリッジ転送マガジン、および単一カートリッジインターフェイスの間でテープカートリッジを交換するステップを含む、請求項１０に記載の方法。
【請求項１２】
カートリッジピッカは
テープカートリッジを受入れるための空洞を有するターンテーブルと、
ターンテーブルに接続された移動アームとを含み、移動アームはターンテーブル中の空洞へのテープカートリッジの装填および取出を行ない、前記カートリッジピッカはさらに
移動アームに接続されたピンを含み、ピンはテープカートリッジ中のカートリッジ切欠を係止する、請求項９に記載の方法。
【請求項１３】
ターンテーブルは軸外れ位置から軸上位置に回転してピンをカートリッジ切欠と係止させ、またターンテーブルは軸上位置から軸外れ位置に回転してピンをカートリッジ切欠から解放する、請求項１２に記載の方法。
【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
複数のカートリッジ収納装置と、
カートリッジアクセス側及び背面側を有し、移動経路に沿って移動するように取り付けられるカートリッジ係合装置であって、前記複数のカートリッジ収納装置のうちの少なくとも１つが前記背面側と向き合うように前記複数のカートリッジ収納装置及び前記移動経路が配置されるカートリッジ係合装置と、
前記カートリッジ係合装置に取付けられる情報リーダと、
を備え、
前記情報リーダは、前記カートリッジ係合装置のカートリッジアクセス側が前記情報リーダの反対方向を向いているとき、前記カートリッジ係合装置の前記背面側付近に配置されたデータカートリッジに備えられるカートリッジ情報を読み出す、
ことを特徴とするデータ記憶システム。
【請求項２】
少なくとも一つのカートリッジ記憶場所を画定する手段と、
移動経路を画定する手段と、
カートリッジアクセス側及び背面側を有し、前記移動経路に沿ってデータカートリッジを係合及び移動させるように前記移動経路に連結されるカートリッジ係合手段であって、前記カートリッジ記憶場所のうちの少なくとも一つが前記カートリッジ係合装置の背面側と向き合うように配置されるカートリッジ係合手段と、
前記カートリッジ係合手段に設けられ、カートリッジ情報を読み出す手段と、
を備え、
前記カートリッジ情報を読み出す手段は、前記カートリッジ係合装置のカートリッジアクセス側が前記カートリッジ情報を読み出す手段の反対方向を向いているとき、前記カートリッジ係合手段の背面側付近に位置する前記データカートリッジに備えられるカートリッジ情報を読み出す、
ことを特徴とするデータ記憶システム。
【請求項３】
シャーシと、
前記シャーシに取付けられた複数のカートリッジ収納装置と、
前記シャーシに取付けられ、移動経路を画定するガイド部材と、
カートリッジアクセス側および背面側を有し、前記移動経路に沿って移動するように前記ガイド部材に取付けられたカートリッジ係合装置であって、前記複数のカートリッジ収納装置のうちの少なくとも１つが前記背面側と向き合うように前記複数のカートリッジ収納装置及び前記移動経路が配置されるカートリッジ係合装置と、
前記カートリッジ係合装置に取付けられる情報リーダと、
を備え、
前記情報リーダは、前記カートリッジ係合装置のカートリッジアクセス側が前記情報リーダの反対方向を向いているとき、前記カートリッジ係合装置の前記背面側付近に配置されたデータカートリッジに備えられるカートリッジ情報を読み出す、
ことを特徴とするデータ記憶システム。
【請求項４】
データ記憶システム内に格納されたデータカートリッジに備えられるカートリッジ情報を検出する方法であって、
カートリッジアクセス側及び背面側を有し、移動経路に沿って移動して、少なくとも１つのカートリッジが前記背面側と向き合うように配置されるカートリッジ係合装置を前記データ記憶システムに設けることと、
前記カートリッジ係合装置のカートリッジアクセス側が情報リーダの反対方向を向いているとき、前記情報リーダが前記カートリッジ係合装置の前記背面側付近に配置されたデータカートリッジに備えられるカートリッジ情報を読み出すことができるように、前記情報リーダを前記カートリッジ係合装置に設けることと、
前記カートリッジ係合装置を、前記背面側がデータカートリッジ付近に位置するように移動させることと、
前記データカートリッジに備えられるカートリッジ情報を読み出すように前記情報リーダを作動させることと、
を含むことを特徴とするデータ記憶システム内に格納されたデータカートリッジに設けられているカートリッジ情報を検出する方法。
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
被験メモリの試験結果をメモリテスタで解析する方法であって、
（ａ）被験メモリに試験処理を実施して結果データを生成するステップと、
（ｂ）作業位置に前記結果データを前もって記憶することなく、前記結果データにマスクを適用するステップと、
（ｃ）前記マスクの適用後に、前記結果データ中に残るエラー表示に従ってカウンタを起動するステップ
を含む、方法。
【請求項２】
前記カウンタの内容を閾値と比較し、閾値を満たしたときにエラー信号を生成するステップを更に含む、請求項１の方法。
【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、希ガス元素を添加した不純物領域を形成し、
加熱処理により、前記希ガス元素を添加した不純物領域に前記半導体膜に含まれる金属元素を偏析させることを特徴とする半導体装置の作製方法。
【請求項２】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、希ガス元素を添加した不純物領域を形成し、
第３の強光を照射することにより、前記希ガス元素を添加した不純物領域に前記半導体膜に含まれる金属元素を偏析させることを特徴とする半導体装置の作製方法。
【請求項３】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、一導電型の不純物と希ガス元素とを添加した不純物領域を形成し、
加熱処理により、前記一導電型の不純物と希ガス元素とを添加した不純物領域に前記半導体膜に含まれる金属元素を偏析させることを特徴とする半導体装置の作製方法。
【請求項４】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、一導電型の不純物と希ガス元素とを添加した不純物領域を形成し、
第３の強光を照射することにより、前記一導電型不純物と希ガス元素とを添加した不純物領域に前記半導体膜に含まれる金属元素を偏析させることを特徴とする半導体装置の作製方法。
【請求項５】
請求項３または請求項４において、前記一導電型の不純物は周期表１５族元素であることを特徴とする半導体装置の作製方法。
【請求項６】
請求項３または請求項４において、前記一導電型の不純物は周期表１３族元素であることを特徴とする半導体装置の作製方法。
【請求項７】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、周期表１５族元素と周期表１３族元素と希ガス元素とを添加した不純物領域を形成し、
加熱処理により、前記周期表１５族元素と周期表１３族元素と希ガス元素とを添加した不純物領域に前記半導体膜に含まれる金属元素を偏析させることを特徴とする半導体装置の作製方法。
【請求項８】
非晶質半導体膜に金属元素を添加し、
前記非晶質半導体膜に第１の強光を照射して結晶質半導体膜を形成し、
前記結晶質半導体膜にレーザー光を照射し、
前記結晶質半導体膜に第２の強光を照射し、
前記結晶質半導体膜に、周期表１５族元素と周期表１３族元素と希ガス元素とを添加した不純物領域を形成し、
第３の強光を照射することにより、前記周期表１５族元素と周期表１３族元素と希ガス元素とを添加した不純物領域に前記半導体膜に含まれる金属元素を偏析させることを特徴とする半導体装置の作製方法。
【請求項９】
請求項１乃至８のいずれか一において、前記第１の強光は、ハロゲンランプ、メタルハライドランプ、キセノンアークランプ、カーボンアークランプ、高圧ナトリウムランプ、または高圧水銀ランプから射出された光であることを特徴とする半導体装置の作製方法。
【請求項１０】
請求項１乃至９のいずれか一において、前記第２の強光は、ハロゲンランプ、メタルハライドランプ、キセノンアークランプ、カーボンアークランプ、高圧ナトリウムランプ、または高圧水銀ランプから射出された光であることを特徴とする半導体装置の作製方法。
【請求項１１】
非晶質半導体膜に、金属元素を添加し、
前記非晶質半導体膜を第１の加熱処理により結晶化して、結晶質半導体膜を形成し、
前記結晶質半導体膜に、希ガス元素を添加した不純物領域を形成し、
第２の加熱処理により、前記希ガス元素を添加した不純物領域に、前記半導体膜に含まれる金属元素を偏析させ、
前記結晶質半導体膜に強光を照射することを特徴とする半導体装置の作製方法。
【請求項１２】
非晶質半導体膜の第１の領域に、選択的に金属元素を添加し、
前記非晶質半導体膜を第１の加熱処理により結晶化して、結晶質半導体膜を形成し、
前記結晶質半導体膜における前記第１の領域に、希ガス元素を添加し、
第２の加熱処理により、前記第１の領域に前記半導体膜に含まれる金属元素を偏析させ、
前記結晶質半導体膜に強光を照射することを特徴とする半導体装置の作製方法。
【請求項１３】
非晶質半導体膜に、金属元素を添加し、
前記非晶質半導体膜を第１の加熱処理により結晶化して、結晶質半導体膜を形成し、
前記結晶質半導体膜に、一導電型の不純物と希ガス元素とを添加した不純物領域を形成し、
第２の加熱処理により、前記一導電型の不純物と希ガス元素とを添加した不純物領域に、前記半導体膜に含まれる金属元素を偏析させ、
前記結晶質半導体膜に強光を照射することを特徴とする半導体装置の作製方法。
【請求項１４】
非晶質半導体膜の第１の領域に、選択的に金属元素を添加し、
前記非晶質半導体膜を第１の加熱処理により結晶化して、結晶質半導体膜を形成し、
前記結晶質半導体膜における前記第１の領域に、一導電型の不純物と希ガス元素とを添加し、
第２の加熱処理により、前記第１の領域に、前記半導体膜に含まれる金属元素を偏析させ、
前記結晶質半導体膜に強光を照射することを特徴とする半導体装置の作製方法。
【請求項１５】
請求項１３または請求項１４において、前記一導電型の不純物は周期表１５族元素であることを特徴とする半導体装置の作製方法。
【請求項１６】
請求項１３または請求項１４において、前記一導電型の不純物は、周期表１３族元素であることを特徴とする半導体装置の作製方法。
【請求項１７】
請求項１乃至請求項１６のいずれか一において、前記金属元素はＦｅ、Ｎｉ、Ｃｏ、Ｒｕ、Ｒｈ、Ｐｄ、Ｏｓ、Ｉｒ、Ｐｔ、Ｃｕ、Ａｕから選ばれた一種または複数種であることを特徴とする半導体装置の作製方法。
【請求項１８】
請求項１乃至請求項１７のいずれか一において、前記希ガス元素はＨｅ、Ｎｅ、Ａｒ、Ｋｒ、Ｘｅから選ばれた一種または複数種であることを特徴とする半導体装置の作製方法。
【請求項１９】
請求項１１乃至請求項１８のいずれか一において、前記強光は、赤外光、可視光、または紫外光であることを特徴とする半導体装置の作製方法。
【請求項２０】
請求項１１乃至請求項１９のいずれか一において、前記強光は、ハロゲンランプ、メタルハライドランプ、キセノンアークランプ、カーボンアークランプ、高圧ナトリウムランプ、または高圧水銀ランプから射出された光であることを特徴とする半導体装置の作製方法。